(57)【特許請求の範囲】
【請求項１】
作業台の上でワークを受けるためのワークホルダを保持する昇降子と、この昇降子を当該作業台よりも上側で昇降可能にガイドする昇降ガイドと、上方に突出した昇降子を昇降ガイドにロックするロック部材とを備えた非貫通式昇降取付具において、
上記昇降子に対して相対的に変位可能な操作部材で上記ロック部材のロックを解除するロック解除手段と、
上記昇降子に形成され、当該昇降子の上記ロック部材に対する上下方向の相対変位を許容するガイド孔と、
ガイド孔の長手方向下端側に連設され、ロック部材が係止することによって上記昇降子の昇降を規制するための係止凹部と、
上記昇降ガイドに設けられ、ロック部材が係止凹部に係止するロック位置と係止凹部からガイド孔に離脱するロック解除位置との間でロック部材の変位を許容する長孔と、
上記操作部材を介して上記ロック部材をロック位置に付勢する付勢部材と
を備え、上記ロック部材と操作部材とは一体化されていることを特徴とする非貫通式昇降取付具。
【発明の詳細な説明】
【０００１】
【発明の属する技術分野】
本発明は、非貫通式昇降取付具に関し、特にワイヤーハーネスを構成する電線や電線に取り付けられる部品を受け止めるためのワークホルダを組立図板等、所定の作業台に取り付けるための非貫通式昇降取付具に関する。
【０００２】
【従来の技術】
一般にワイヤーハーネスの製造時等において、当該ワイヤーハーネスを構成する電線を図板と呼称される作業台の上に配索するために、種々の保持具が使用される。保持具の種類としては、例えば配索される電線を受ける電線保持具や、電線に接続されたコネクタを受けるコネクタ保持具等があり、何れも所定のワークホルダ（電線ガイドやコネクタホルダ）を取付具で図板に植設したものが一般的である。
【０００３】
上記取付具においては、作業性を向上させるために上記ワークホルダを昇降可能にした昇降式のものが種々知られている。
【０００４】
さらに、昇降式の取付具としては、ワークホルダと一体的に昇降する部材が図板を貫通する貫通式の昇降取付具（例えば、特開平７−３２０５６７号公報、特開平０６−３３３４４１号公報参照）と、ワークホルダを保持する昇降子を図板に貫通させずに、図板上の昇降ガイドで昇降可能にガイドする非貫通式の昇降取付具とが知られている（例えば、特開平７−１０５７５８号公報参照）。
【０００５】
これら各種の昇降取付具においては、電線配索等を行う時にはワークホルダが対応する部品を受けることができるように当該ワークホルダを上昇させることができるので、確実にワーク保持機能を発揮させることができるとともに、電線に対して種々の加工（テーピング、外装部品の取り付け等）を行うときには、所定のワークホルダを下方に退避させることができるので、ワークホルダが邪魔にならずに作業を行うことができるという利点がある。
【０００６】
特に、上記非貫通式の昇降取付具のものは、図板自身に穿孔加工を施す必要がないので、レイアウトの自由度が高くなる他、試作検討等のためのいわゆる多孔図板にも適用することが可能になる。
【０００７】
【発明が解決しようとする課題】
しかしながら、上記非貫通式の昇降取付具においては、ワークホルダの昇降操作の容易性とロック時の機械的強度とを両立させることは困難であった。
【０００８】
より詳細に説明すると、従来の非貫通式昇降取付具においては、昇降子と昇降ガイドとの何れかに一体化されたロック解除手段を採用していたので、ロックを解除するためには、昇降子を昇降ガイドに対して相対変位させる必要があり、操作性が悪かった。
【０００９】
しかも、昇降子を昇降ガイドに対して相対変位させることによりロックを解除する構成を採用していたのでロック時に昇降子や昇降子に担持されているワークホルダに外力が作用した場合、不用意にロックが解除するおそれがあった。
【００１０】
本発明は上記困難性に鑑みてなされたものであり、ワークホルダの昇降操作の容易性とロック時の機械的強度とを両立させることのできる非貫通式昇降取付具を提供することを課題としている。
【００１１】
【課題を解決するための手段】
上記課題を解決するために本発明は、作業台の上でワークを受けるためのワークホルダを保持する昇降子と、この昇降子を当該作業台よりも上側で昇降可能にガイドする昇降ガイドと、上方に突出した昇降子を昇降ガイドにロックするロック部材とを備えた非貫通式昇降取付具において、上記昇降子に対して相対的に変位可能な操作部材で上記ロック部材のロックを解除するロック解除手段と、上記昇降子に形成され、当該昇降子の上記ロック部材に対する上下方向の相対変位を許容するガイド孔と、ガイド孔の長手方向下端側に連設され、ロック部材が係止することによって上記昇降子の昇降を規制するための係止凹部と、上記昇降ガイドに設けられ、ロック部材が係止凹部に係止するロック位置と係止凹部からガイド孔に離脱するロック解除位置との間でロック部材の変位を許容する長孔と、上記操作部材を介して上記ロック部材をロック位置に付勢する付勢部材とを備え、上記ロック部材と操作部材とは一体化されていることを特徴とする非貫通式昇降取付具である。
【００１２】
この発明では、ロック解除用の操作部材が昇降子と相対的に変位可能に構成されているので、ロック部材でロックされた昇降子を変位させる際に、昇降子自身を変位させる必要がなく、ロック解除動作を簡素に構成することが可能になる。また、昇降子に外力が生じても、ロック解除用の操作部材が変位しないので、不用意にロックが解除するおそれがない。
【００１３】
上記作業台としては、ワイヤーハーネスを組み立てるための組立図板が好適である。また、昇降子が作業台を貫通しない非貫通式であるから、試作等に利用される多孔図板にも好適である。
【００１４】
さらに、上記昇降子が保持するワークホルダは、上記図板に配索される電線を受ける電線ホルダであってもよく、配索された電線に取り付けられた部品（例えばコネクタ）を受けるコネクタホルダであってもよい。
【００１５】
さらに、ロック部材が係止凹部と上下にずれている間は、専らガイド孔によって昇降子の上下方向の昇降を許容する。
【００１６】
他方、昇降子が所定高さ上昇して係止凹部とロック部材とが対向した場合には、付勢部材によってロック部材が自動的に係止位置に変位し、昇降子をロックする。さらに上記付勢部材は、ロック部材と一体化された操作部材を介してロック部材を付勢するものであるから、ロック解除動作もワンタッチで行うことが可能になる。
【００１７】
【発明の実施の形態】
以下、添付図面を参照しながら本発明の好ましい実施の形態について詳述する。
【００１８】
図１は本発明の実施の一形態に係る取付具１０の斜視図であり、（Ａ）は昇降子が下方に退避している状態、（Ｂ）は昇降子が上方に突出している状態をそれぞれ示している。また図２は図１の分解斜視図である。
【００１９】
これらの図を参照して、取付具１０は、ワイヤーハーネスの組立図板に固定されて、当該ワイヤーハーネスの電線を受ける電線保持具として具体化されたものであり、上記組立図板に固定されるブラケット１１と、このブラケット１１に取り付けられた昇降ガイド１２と、昇降ガイド１２に支持される昇降子１３とを備えており、昇降子１３の上部には、ワークホルダとしての電線ガイド１４が着脱可能に取り付けられている。
【００２０】
上記ブラケット１１は、正面が概ねＵ字型に屈曲した板金部材で構成されており、その両側壁１１ａに昇降ガイド１２の側面下部を挟み込んでいるとともに、両側壁１１ａを貫通する支持軸１１ｂによって、昇降ガイド１２を回倒可能に支持している。上記両側壁１１ａには、支持軸１１ｂと平行なストップピン１１ｃが固定されており、このストップピン１１ｃが昇降ガイド１２の回動範囲を規制している。また、１１ｄは昇降ガイド１２の下部に設けられたボールプランジャ１２ａ（図２のみ図示）を受ける止め孔である。
【００２１】
上記昇降ガイド１２は、概ね矩形の柱状体であり、その上面に開口する有底の収容穴１２ｂ内に後述する昇降子１３を昇降可能にガイドする金属部材である。昇降ガイド１２の長手方向途中部には、両側面を水平に切欠く一対の切欠溝１２ｃが形成されており、この切欠溝１２ｃには、後述する操作部材としてのハンドル２１が摺動可能に取り付けられる。上記切欠溝１２ｃには、その長手方向に沿って延びる長孔１２ｄが形成されている。長孔１２ｄは、上記収容穴１２ｂに連通しており、後述するロック機構の動作範囲、すなわちロック解除位置（図３（Ａ）（Ｂ）参照）とロック位置（図３（Ｃ）参照）とを規定している。図示の実施形態においては、次に説明する昇降子１３の正面に形成された位置決め用のガイド溝１３ｅに係合するボルト１２ｅが正面に設けられている。なお、上記切欠溝１２ｃよりも下側には、上記ブラケット１１の支持軸１１ｂを挿通する挿通孔１２ｆが形成されている。
【００２２】
上記昇降子１３は、昇降ガイド１２の収容穴１２ｂに摺動可能な金属製の円柱体であり、その上面には雌ねじ１３ａが形成されて、電線ガイド１４の雄ねじ１４ａを螺着できるようになっている。昇降子１３の側部には、ガイド孔１３ｂが形成されている。ガイド孔１３ｂは、昇降子１３の長手方向に沿って延びる長孔で具体化されており、後述するロック解除機構のボルトを挿通させるためのものである。このガイド孔１３ｂの下部近傍部分には、側方に連続する係止凹部１３ｃが形成されている。
【００２３】
上記電線ガイド１４は、昇降子１３の雌ねじ１３ａに螺合するねじ部１４ａとねじ部１４ａと一体のピラー部１４ｂと、ピラー部１４ｂの頂部に固着されたホルダ部１４ｃとを一体に有しており、図示の例ではホルダ部１４ｃをＵ字型の金属ロッドで形成している。１４ｄはねじ部１４ａに螺合したナットである。
【００２４】
次に、図２及び図３（Ａ）〜（Ｃ）を参照しながら、上記昇降ガイド１２に昇降子１３をロックするためのロック機構２０について説明する。図３は図１の実施形態に係るロック機構２０の動作を示す断面略図である。
【００２５】
図２及び図３（Ａ）〜（Ｃ）を参照して、ロック機構２０は、ハンドル２１と、このハンドル２１に取り付けられるロック部材としてのボルト２２とを有しており、これらがロック部材、ロック解除手段を有機的に構成しているユニットである。
【００２６】
上記ハンドル２１は、平面視Ｕ字形に形成されたブラケット状の板金部材であり、その両端部２１ａは、それぞれ昇降ガイド１２に形成された切欠溝１２ｃに対し、前後に摺動可能に装着されるものである。各端部２１ａには、切欠溝１２ｃに対向する挿通孔２１ｃが形成されている。
【００２７】
さらに、ハンドル２１の途中部の内面と昇降ガイド１２の背面との間にはコイルばね２３が介装され、組付時においてハンドル２１を常時昇降ガイド１２の後方、すなわち次に説明するボルト２２を係止凹部１３ｃに係止させる方向に付勢している。
【００２８】
上記ボルト２２は、ハンドル２１の一方の挿通孔２１ｃから昇降ガイド１２に形成された上記長孔１２ｄに導入され、さらに収容穴１２ｂ内に収容されている昇降子１３のガイド孔１３ｂ内を通って反対側に貫通し、ナット２４（図２のみ図示）によってハンドル２１と一体化されるものである。これによってボルト２２は、通常はガイド孔１３ｂ内にて、昇降子１３が昇降ガイド１２に対して相対的に上方に変位するのを許容する（図３（Ａ）参照）。他方、昇降子１３が上昇して、ボルト２２に上記係止凹部１３ｃが水平に対向すると（図３（Ｂ）参照）、上記コイルばね２３の付勢力により、長孔１２ｄ沿いに後方へ変位して上記係止凹部１３ｃ内に係止し、上記昇降子１３を上昇したままの位置にロックする（図３（Ｃ）参照）。図示の実施形態において、昇降子１３の正面に設けたガイド溝１３ｅは、これと係合する昇降ガイド１２のボルト１２ｅとともに、上記係止凹部１３ｃをボルト２２に対向させる位置決め機構を構成している。
【００２９】
以上説明した構成では、図３（Ａ）に示すように、ボルト２２が係止凹部１３ｃから離脱している間は、昇降子１３は、自重によって下方に退避している。この状態では、ボルト２２は、コイルばね２３によって係止凹部１３ｃに係止する方向に付勢された状態でガイド孔１３ｂ内に嵌入し、昇降子１３とは相対的に変位可能になっている。
【００３０】
この姿勢にある昇降子１３を上昇させるためには、電線ガイド１４を把持して上方に引上げるだけでよい。これにより、昇降子１３は、上記ガイド溝１３ｅの下端がボルト１２ｅに係止するまで上方に引上げられ、所定のガイド位置に変位する。
【００３１】
図３（Ｂ）に示すように、昇降子１３が上記ガイド位置まで引き上げられると、ガイド孔１３ｂに形成された係止凹部１３ｃがボルト２２と水平に対向する。これにより、コイルばね２３の付勢力によってボルト２２及びボルト２２と一体化されたハンドル２１は、昇降ガイド１２の長孔１２ｄ沿いに後方に移動し、遂には図３（Ｃ）に示すようにボルト２２が係止凹部１３ｃに係止して昇降子１３を突出させた姿勢でロックする。
【００３２】
さらに、このロック状態を解除するためには、ハンドル２１を前方に押し込むだけでよい。これにより、ボルト２２は係止凹部１３ｃから離脱するので、昇降子１３はロックが解除され、再び自由状態になる。この結果、昇降子１３は、昇降ガイド１２の収容穴１２ｂに沿って下方に降下することができる。
【００３３】
このように、上述した実施の形態では、ロック機構２０として昇降子１３と相対的に変位可能なハンドル２１（操作部材、ロック解除手段）を採用しているので、このハンドル２１を操作するだけで昇降子１３のロックを解除することができる。この結果、ロック解除のために昇降ガイド１２と昇降子１３とを相対変位させる必要がなくなり、操作性が向上する。
【００３４】
また、ロック時においては、ハンドル２１が操作されない限りロックを解除することができないので、昇降子１３や電線ガイド１４に外力が作用しても、不用意にロックが解除するおそれがない。
【００３５】
上述した取付具１０は、種々の態様で実施することが可能である。
【００３６】
図４は図１の取付具１０の一使用例を示す斜視図である。
【００３７】
同図に示す使用例は、多孔図板１（作業台の一例）に取付具１０を採用したものである。多孔図板１は、製造されるワイヤーハーネスの品種変更や設計変更に柔軟に対応したり、試作品を製造するために使用される組立図板であり、等間隔に多数の穿孔部２を有する金属板である。
【００３８】
このような多孔図板１に上記取付具１０を採用するには、ブラケット１１下面に取付板３１の一端部をボルト付突起３２のねじ部３２ａで取り付け、ナット３３で固着するとともに、上記取付板３１の他端部を固着具３４のボルト３５で固着すればよい。図示の固着具３４は、多孔図板１の孔２内に導入可能な一対のアーム部３４ａと、このアーム部３４ａの下端に形成された係止突起３４ｂとを有しており、この係止突起３４ｂを多孔図板１の裏面に係止させた状態で上記ボルト３５を締め付けることにより、取付板３１を多孔図板１に締め付けるものである。
【００３９】
図５は本発明の別の使用例を示す斜視図である。同図に示すように、上述した取付具１０は、電線保持具に限らずコネクタ保持具としても使用することが可能である。この使用例では、ワークホルダとして樹脂製のコネクタホルダ４０を昇降子１３に取り付けることにより、コネクタホルダ４０の上面に形成されたコネクタ収容凹部４１内にコネクタＣを上下に挿抜可能に保持している。このようなコネクタ保持具として取付具１０を採用する場合においても、昇降子１３の昇降動作によって作業性を向上させることができるとともに、上昇した昇降子１３のロック時においては、堅固にコネクタＣを保持することが可能になる。
【００４０】
このように上述した実施の形態は本発明の好ましい具体例を例示したものに過ぎず、本発明は上述した実施の形態に限定されない。本発明の特許請求の範囲内で種々の設計変更が可能であることはいうまでもない。
【００４１】
【発明の効果】
以上説明したように、本発明によれば、昇降子とも昇降ガイドとも相対的に変位可能なガイド部材を採用しているので、操作性が向上するとともにみだりにロックが解除するおそれがなく、ワークホルダの昇降操作の容易性とロック時の機械的強度とを両立させることができるという顕著な効果を奏する。
【図面の簡単な説明】
【図１】  本発明の実施の一形態に係る取付具の斜視図であり、（Ａ）は昇降子が下方に退避している状態、（Ｂ）は昇降子が上方に突出している状態をそれぞれ示している。
【図２】  図１の分解斜視図である。
【図３】  図１の実施形態に係るロック機構の動作を示す断面略図である。
【図４】  図１の取付具の一使用例を示す斜視図である。
【図５】  本発明の別の使用例を示す斜視図である。
【符号の説明】
１      多孔図板（作業台）
１０    取付具
１２    昇降ガイド
１３ｃ  係止凹部
１３    昇降子
１４    電線ガイド（ワークホルダ）
１４ａ  雄ねじ
２０    ロック機構
２１    ハンドル（操作部材、ロック解除手段）
２２    ボルト（ロック部材）
２３    コイルばね（付勢部材）
４０    コネクタホルダ（ワークホルダ）
【図１】
0003636008.tif 000002
【図２】
0003636008.tif 000003
【図３】
0003636008.tif 000004
【図４】
0003636008.tif 000005
【図５】
0003636008.tif 000006